(57)【特許請求の範囲】
【請求項１】
電線接続部およびランプピン接触部を有する一対の導電体と、これらの導電体を所定の間隔をおいて位置決め支持する導電体支持部を前面に有し前記前面の周縁に形成された周壁を有する後ボディと、前面板および前記周壁に外嵌する周側板を有して背面開口した略箱形であって前記前面板に略円形のランプピン挿通開口を有しかつ前記ランプピン挿通開口と側面との間にこれらに連通するランプピン案内用の溝部を有して前記背面開口を前記後ボディで閉塞した前ボディと、前記ランプピン挿通開口を回転自在に覆うものであって外周縁が前記ランプピン挿通開口の縁部に摺動自在に係合するとともに前記溝部を通ったランプピンを径方向に案内するスリットを有して前記スリット内で前記ランプピンを回動することにより前記ランプピン接触部に接触させるロータとを備え、
前記後ボディの前記周壁に係止部を形成し、前記前ボディの前記周側板に前記係止部に係合する係合部を形成するとともに、前記後ボディの略中央位置に周溝のある支持筒を立設し、前記ロータに前記支持筒に嵌合する筒部を設け、前記筒部に前記支持筒の前記周溝に係合する突条を形成したランプソケット。
【請求項２】
前記導電体支持部は前記電線接続部を収納する端子収納部を有し、前記電線接続部は速結端子により構成され、前記端子収納部に電線挿入孔および電線解除孔が形成されるとともに、解除治具が前記速結端子の前記鎖錠ばねの先端側寄りを押すように前記電線解除孔の外端が前記鎖錠ばねの基部側に形成され内端が前記鎖錠ばねの先端側寄りとなるように内側面を傾斜し、前記前ボディの周側板に前記電線挿入孔に連通する電線挿入ガイド孔および前記電線解除孔に連通する電線解除ガイド孔をそれぞれ設けた請求項１記載のランプソケット。
【発明の詳細な説明】
【０００１】
【発明の属する技術分野】
この発明は、ランプソケットに関するものである。
【０００２】
【従来の技術】
第１の従来例を図６に示す（たとえば特開平7-122338号) 。すなわち、このランプソケットは、ケーシング１００に接点ばね部材１０１を組み込み、後部カバー１０２を取付けた後、ケーシング１００の前面より回転部材１０３を組み込む構造である。
【０００３】
第２の従来例を図７に示す( たとえば特開平8-167461号) 。すなわち、このランプソケットは、ソケット本体１０４に組み込む方向が、回転子１０５はランプ側であり、接触片１０６および蓋体１０７は電線側からとなり、互いに９０度異なる。
第３の従来例を図８に示す( たとえば特公昭63-29392号) 。すなわち、このランプソケットは、ソケット本体１０８に弾性接触板１０９、案内板１１０、裏板１１１を組立てる構成のため、組立完了した状態では、ソケット本体１０８の前面は下方向となっている。
【０００４】
【発明が解決しようとする課題】
第１の従来例は、ケーシング１００に接点ばね部材１０１および後部カバー１０２と回転部材１０３とを取付ける方向が反対となり、ケーシング１００を一度逆にひっくり返して組立なければならなかった。そのため製造において、自動機の場合ケーシング１００をひっくり返す設備が必要であり、手組の場合ケーシング１００をひっくりかえす作業が必要であり、そのコストを負担しなければならなかった。また後部カバー１０２に接点ばね支持部を設けようとし、突起を形成した場合、後部カバー１０２の肉厚が薄く、突起は後部カバー１０２の端に立てられることから、突起が立てられていないところに反りが生じるおそれがある。
【０００５】
第２の従来例も同様な不具合があった。
第３の従来例は、ソケットの組立確認検査（有無検査）を行なうためソケット本体１０８をひっくりかえさなければならなかったため、第１の従来例と同様な不具合が生じた。また裏板１１１のランプピン挿入溝以外の周囲上で弾性接触板１０９と照明器具ソケット取付板との絶縁（沿面）距離が短くなる個所に壁部を設けていないため絶縁距離が短い。
【０００６】
したがって、この発明の目的は、部品を前側から組立ることができ、ソケット本体を引っくり返す作業が不要なランプソケットを提供することである。
【０００７】
【課題を解決するための手段】
請求項１記載のランプソケットは、電線接続部およびランプピン接触部を有する一対の導電体と、これらの導電体を所定の間隔をおいて位置決め支持する導電体支持部を前面に有し前記前面の周縁に形成された周壁を有する後ボディと、前面板および前記周壁に外嵌する周側板を有して背面開口した略箱形であって前記前面板に略円形のランプピン挿通開口を有しかつ前記ランプピン挿通開口と側面との間にこれらに連通するランプピン案内用の溝部を有して前記背面開口を前記後ボディで閉塞した前ボディと、前記ランプピン挿通開口を回転自在に覆うものであって外周縁が前記ランプピン挿通開口の縁部に摺動自在に係合するとともに前記溝部を通ったランプピンを径方向に案内するスリットを有して前記スリット内で前記ランプピンを回動することにより前記ランプピン接触部に接触させるロータとを備え、
前記後ボディの前記周壁に係止部を形成し、前記前ボディの前記周側板に前記係止部に係合する係合部を形成するとともに、前記後ボディの略中央位置に周溝のある支持筒を立設し、前記ロータに前記支持筒に嵌合する筒部を設け、前記筒部に前記支持筒の前記周溝に係合する突条を形成したものである。
【０００８】
請求項１記載のランプソケットによれば、後ボディ上に導電体を組み込み、前ボディを被せ、ランプピン挿通開口よりロータを装着して組立てられる。この場合、後ボディに各部品を一方向から組立るので、製造において自動機の場合には前ボディをひっくりかえす設備が不要となり、手組みの場合前ボディをひっくりかえす作業が不要となり、コストを負担しなくてもよくなる。また上方から後ボディに各部品を組立る構成のため、組立完了した状態では前ボディの前面が上方向になっており、組立られた部品の有無、位置等の確認が容易に行なえる。
【０００９】
また、後ボディが周壁を有し、前ボディは前記周壁に外嵌するため、周壁により後ボディの反りが生じにくくなり、ソケット本体を小型化しても絶縁距離を確保できる。また後ボディに形成した周壁に前ボディが外嵌して互いに結合することにより、前ボディに力が加わっても、その力は前ボディと後ボディで受けられるため、前ボディは後ボディに対して位置がずれにくく、これにより前ボディと後ボディの嵌合が外れにくいので、前ボディと後ボディが分解することを防止できる。
【００１０】
請求項２記載のランプソケットは、請求項１において、前記導電体支持部は前記電線接続部を収納する端子収納部を有し、前記電線接続部は速結端子により構成され、前記端子収納部に電線挿入孔および電線解除孔が形成されるとともに、解除治具が前記速結端子の前記鎖錠ばねの先端側寄りを押すように前記電線解除孔の外端が前記鎖錠ばねの基部側に形成され内端が前記鎖錠ばねの先端側寄りとなるように内側面を傾斜し、前記前ボディの周側板に前記電線挿入孔に連通する電線挿入ガイド孔および前記電線解除孔に連通する電線解除ガイド孔をそれぞれ設けたものである。
【００１１】
請求項２記載のランプソケットによれば、請求項１と同様な効果のほか、ソケットに接続された電線を外す場合、解除治具を速結端子の鎖錠ばねの先端付近に押し当てることが容易なため、鎖錠ばねを弱い力で解除することができる。
【００１２】
【発明の実施の形態】
この発明の一実施の形態を図１ないし図５により説明する。すなわち、このランプソケットは、導電体１と、後ボディ２と、前ボディ３と、ロータ４とを有する。
導電体１は一対有して、電線接続部５およびランプピン接触部６を有する。実施の形態では、一対が左右対称であるが、同形状のものを左右に用いている。また電線接続部５は速結端子により構成されている。さらに具体的には、プレス加工により帯状の導電板を形成し、そのほぼ中央の板厚方向の一方に突出するように段曲げ状に曲げ加工によりランプピン接触部６を形成し、一端部をランプピン接触部６の突出方向と反対向きに折曲した後略横Ｕ字に折返し部５ｃにより折返し、その先端部を折曲して中央付近と略平行な電線接触片５ｂを形成し、電線接触片５ｂと折返し部５ｃとの間を切起こし、その先端が電線接触片５ｂに向く鎖錠ばね５ａを形成している。なお鎖錠ばね５ａの中央に切筋を付けて鎖錠ばね５ａを２片形成している。
【００１３】
後ボディ２は、導電体を所定の間隔をおいて位置決め支持する導電体支持部７，８を前面に有する。実施の形態の後ボディ２は周壁９を有し、後ボディ２の周縁部２ａの若干内方寄りの位置に立設し、反り防止のためその両側に後ボディ２の中央方向に凹んだ凹状部９ａを形成し、下端部に開き部９ｂを形成している。導電体支持部７，８は導電体の両端を支持するもので、導電体支持部８は電線接続部５を収納する端子収納部１０を形成している。端子収納部１０の略中央位置に鎖錠ばね当たり部１０ａを立設している。また端子収納部１０に電線挿入孔１１および電線解除孔１２がそれぞれ左右に一対形成されている。導電体支持部７は導電体１の先端が係止する溝により形成している。後ボディ２の略中央位置にランプピンの通る割りの付いた支持筒２１を立設し、その先端の外周にロータ係止部２２を周溝により形成している。また周壁９の上端側中央に前ボディ係止部２８を突起により設けている。図２および図４に示すように、導電体１の一端の電線接続部５を導電体支持部８の端子収納部１０に収納し、他端を導電体支持部７に係合して導電体１が後ボディ１に保持される。このとき、電線接触片５ｂおよび折返し部５ｃが端子収納部１０の内壁面に支持され、鎖錠ばね５ａに当たり部１０ａが対向している。また一対の導電体１の間に支持筒２１が位置する。
【００１４】
前ボディ３は、前面板１３および周側板１４を有して背面開口した略箱形であって、前面板１３に略円形のランプピン挿通開口１６を有し、かつランプピン挿通開口１６と側面との間にこれらに連通するランプピン案内用の溝部１５を有して、背面開口を後ボディ２で閉塞し、導電体１を内部に隠蔽している。実施の形態の前ボディ３は周壁９に外嵌し、溝部１５を形成する部分が開き部９ｂに嵌合し、背面開口縁が後ボディ２の周縁部２ａに当接するもので、前ボディ３の周側板１４に電線挿入孔１１に連通する電線挿入ガイド孔１７および電線解除孔に連通する電線解除ガイド孔１８をそれぞれ設けている。ランプ挿通開口１６は周縁部に段部１６ａを形成している。２７は取付脚、２９は凹部により形成した取付用係合部であり、前ボディ３を後ボディ２に嵌合すると取付用係合部２９が前ボディ係止部２８に係止する。
【００１５】
ここで、図４および図５に示すように解除治具３０が速結端子の鎖錠ばね５ａの先端側寄りを押すように電線解除ガイド孔１８および電線解除孔１２を構成している。具体的には電線解除孔１２および電線解除ガイド孔１８の中心線をずらし、孔中心を結ぶ方向が速結端子の鎖錠ばね５ａの先端側寄りに向くように傾斜し、かつそれと同方向に電線解除孔１２の一部に解除治具３０を案内する傾斜面１８ａを形成している。
【００１６】
ロータ４は、ランプピン挿通開口１６を回転自在に覆うものであって、溝部１５を通ったランプピン（図示せず）を径方向に案内するスリット２０を有して、スリット２０内でランプピンを回動することによりランプピン接触部６に接触させる。実施の形態では筒部２３と、筒部２３の一端に設けたつば部２４からなり、ロータ係止部２２に摺動自在に係止する係合部２５を筒部２３の内周面に周方向の突条により形成し、つば部２４は開口１６の周縁の段部１６ａに回動摺動自在に係合し、かつ筒部２３の外周面が導電体１の中央付近で弾性的に挟持されている。そして、ロータ４がロータ係止部２２に係止することによっても前ボディ３を後ボディ２に保持させている。ここで、直管ランプの一端の一対のランプピンをスリット２０に通して管軸を中心に回動するとロータ４が回動すると同時にランプピンが導電体１のランプピン接触部６の段曲げ状の凹部に位置決め係合し弾性的に押圧される。
【００１７】
なお、後ボディ２，前ボディ３およびロータ４は絶縁プラスチックにより製造されている。また４０は電線の先端をのぞくための電線検知穴である。
図５（ａ）は電線３４を電線接続部５に接続した状態であり、鎖錠ばね５ａの先端が電線３４に食い込み電線３４を抜止めすると同時に鎖錠ばね５ａにより電線接触片５ｂに押圧して電気接触している。なお解除治具３０は単に挿入されただけの状態を示している。図５（ｂ）は電線解除孔１２に解除治具３０を押し込んだ状態であり、電線解除孔１２が鎖錠ばね５ａの先端に向けて傾斜しているため、解除治具３０の先端は鎖錠ばね５ａの先端側を押圧し、鎖錠ばね５ａが電線３４から離れる方向に移動して当たり部１０ａに支持され、電線３４の食い込みが解除され、これにより電線３４を引き抜くことができる。
【００１８】
この実施の形態によれば、後ボディ２上に導電体１を組み込み、前ボディ３を被せ、ランプピン挿通開口１６よりロータ４を装着して組立てられる。この場合、後ボディ２に各部品を一方向から組立るので、製造において自動機の場合には前ボディ３をひっくりかえす設備が不要となり、手組みの場合前ボディ３をひっくりかえす作業が不要となり、コストを負担しなくてもよくなる。また上方から後ボディ２に各部品を組立る構成のため、組立完了した状態では前ボディ３の前面が上方向になっており、組立られた部品の有無、位置等の確認が容易に行なえる。
【００１９】
また周壁９により後ボディ２の反りが生じにくくなり、ソケット本体を小型化しても絶縁距離を確保できる。また後ボディ２に形成した周壁に前ボディ３が外嵌して互いに結合することにより、前ボディ３に力が加わっても、その力は前ボディ３と後ボディ２で受けられるため、前ボディ３は後ボディ２に対して位置がずれにくく、これにより前ボディ３と後ボディ２の嵌合が外れにくいので、前ボディ３と後ボディ２が分解することを防止できる。
【００２０】
さらにソケットに接続された電線３４を外す場合、解除治具３０を速結端子の鎖錠ばね５ａの先端付近に押し当てることが容易なため、鎖錠ばね５ａを弱い力で解除することができる。
【００２１】
【発明の効果】
請求項１記載のランプソケットによれば、後ボディ上に導電体を組み込み、前ボディを被せ、ランプピン挿通開口よりロータを装着して組立てられる。この場合、後ボディに各部品を一方向から組立るので、製造において自動機の場合には前ボディをひっくりかえす設備が不要となり、手組みの場合前ボディをひっくりかえす作業が不要となり、コストを負担しなくてもよくなる。また上方から後ボディに各部品を組立る構成のため、組立完了した状態では前ボディの前面が上方向になっており、組立られた部品の有無、位置等の確認が容易に行なえる。
【００２２】
また、周壁により後ボディの反りが生じにくくなり、ソケット本体を小型化しても絶縁距離を確保できる。また後ボディに形成した周壁に前ボディが外嵌して互いに結合することにより、前ボディに力が加わっても、その力は前ボディと後ボディで受けられるため、前ボディは後ボディに対して位置がずれにくく、これにより前ボディと後ボディの嵌合が外れにくいので、前ボディと後ボディが分解することを防止できる。
【００２３】
請求項２記載のランプソケットによれば、請求項１と同様な効果のほか、ソケットに接続された電線を外す場合、解除治具を速結端子の鎖錠ばねの先端付近に押し当てることが容易なため、鎖錠ばねを弱い力で解除することができる。
【図面の簡単な説明】
【図１】この発明の第１の実施の形態の分解斜視図である。
【図２】導電体を装着した状態の後ボディの斜視図である。
【図３】前ボディを後ボディに被せた状態の斜視図である。
【図４】端子部分の断面図である。
【図５】電線の結線状態（ａ）および電線の解除（ｂ）を示す断面図である。
【図６】第１の従来例の破断斜視図である。
【図７】第２の従来例の分解斜視図である。
【図８】第３の従来例の分解斜視図である。
【符号の説明】
１    導電体
２    後ボディ
３    前ボディ
４    ロータ
５    電線接続部
５ａ    鎖錠ばね
６    ランプピン接触部
７，８    導電体支持部
９    周壁
１０    端子収納部
１１    電線挿入孔
１２    電線解除孔
１３    前面板
１４    周側板
１５    溝部
１６    ランプピン挿通開口
１７    電線挿入ガイド孔
１８    電線解除ガイド孔
２０    スリット
【図１】
0003660468.tif 000002
【図２】
0003660468.tif 000003
【図３】
0003660468.tif 000004
【図４】
0003660468.tif 000005
【図５】
0003660468.tif 000006
【図６】
0003660468.tif 000007
【図７】
0003660468.tif 000008
【図８】
0003660468.tif 000009